(57)【要約】【課題】第１円筒体１を第２円筒体２に対して回動させるだけの簡単でかつ容易な操作で、固定機能が確かな節度感を伴いながら素早く働いて第１円筒体１が位置保持される摺動式固定機構５Ａを提供する。【解決手段】使用位置では、円盤体４の一側面部４ｓおよび円柱体５の一側面部５ｓがそれぞれ第２円筒体２の内周壁部２ａに圧接し、棟部９ｃが第２円筒体２の内周壁部２ａに圧接するので、圧接による確かな固定機能が素早く働いて第２円筒体２に対して第１円筒体１が所望の位置に保持される。この固定機能を働かせるには、第１円筒体１を第２円筒体２に対して回動させるだけの簡単でかつ容易な操作でよいため、第１円筒体１を第２円筒体２に固定するために必要な操作性が大幅に向上する。【選択図】図１
2014085327.tif 000002
【特許請求の範囲】
【請求項１】
第１円筒体の下端面に形成された円盤体と、
前記円盤体と等径で前記円盤体に対して偏芯位置の回りに偏芯回転可能に取り付けられた円柱体と、
前記円柱体の一外側部を径方向に窪ませることにより設けられた平坦部と該平坦部の中央で径方向に突出する柱体部とから成る摺接面部と、
中央を棟部として両側に分かれる第１辺板と第２辺板とによりくの字状を成し、初期位置で前記第１辺板および前記第２辺板が前記柱体部を囲むようにして前記摺接面部に近接状態に配置される駒板体とを具備し、
前記第１円筒体の下端を前記円盤体、前記円柱体および前記駒板体とともに、第２円筒体内に挿入して前記第１円筒体を前記第２円筒体に対して周方向に回動した際、前記円盤体の一側面部および前記円柱体の一側面部がそれぞれ前記第２円筒体の内周壁部に圧接し、前記駒板体に対して前記柱体部が前記初期位置から周方向に相対的に摺動し、前記棟部を前記第２円筒体の内周壁部に圧接する使用位置に変位させることを特徴とする摺動式固定機構。
【請求項２】
前記駒板体の前記柱体部は、円弧状の外周曲面を有することを特徴とする請求項１に記載の摺動式固定機構。
【請求項３】
前記駒板体の前記柱体部は、楕円状の外周曲面を有することを特徴とする請求項１に記載の摺動式固定機構。
【請求項４】
前記駒板体の前記柱体部は、多角形状の外周曲面を有することを特徴とする請求項１に記載の摺動式固定機構。
【請求項５】
前記円盤体および前記円柱体の各外周側面には、周方向に沿って細かく起伏し、軸方向に伸びる鋸歯状のローレット加工が施されていることを特徴とする請求項１に記載の摺動式固定機構。
【請求項６】
前記柱体部および前記駒板体のうちいずれか一方に磁石体を埋め込み、他方に薄肉の磁性体製の金属体を埋設したことを特徴とする請求項１に記載の摺動式固定機構。
【請求項７】
前記第１円筒体および前記第２円筒体は、互いに上下摺動可能に設けられた伸縮性のメジャーポールを構成することを特徴とする請求項１に記載の摺動式固定機構。
【発明の詳細な説明】
【技術分野】
【０００１】
本発明は、第１円筒体を第２円筒体に対して簡単な操作で、所望の位置で無段階に固定できる摺動式固定機構に係り、とりわけ測量用のメジャーポールに好適となる摺動式固定機構に関する。
【背景技術】
【０００２】
土木工事や建設現場などで使われる伸縮可能なメジャーポールでは、光波距離計用ターゲットポールとして測量用に設けられたものがある（例えば、特許文献１参照）。
この光波距離計用ターゲットポールでは、上部の第１円筒体を外側筒体とし、下部の第２円筒体を内側筒体とし、第１円筒体を第２円筒体に対して上下摺動可能に挿入している。第２円筒体に対して第１円筒体を所望の位置で固定するため、摺動ロック機構が固定部として設けられている。
【０００３】
特許文献１の固定部は、図７（ａ）に示すような構造体５０を備えている。この構造体５０では、合成樹脂製の円盤５０Ａにハの字状に延びる一対の脚部５０ａ、５０ｂを一体に設けた樽形に構成されている。円盤５０Ａは、偏芯位置に挿通孔５０ｅを有し、第１円筒体５２の下端部５２ａは、雌ねじ部５２ｆを有する偏芯軸５２ｅを立設している。
第１円筒体５２の偏芯軸５２ｅを挿通孔５０ｅに配置し、螺子部５１を雌ねじ部５２ｆに締結することにより、円盤５０Ａが第１円筒体５２の下端部５２ａに偏芯回転可能に取り付けられている。
使用時には、図７（ｂ）に示すように、第１円筒体５２の下端部５２ａを構造体５０と一緒に第２円筒体５３内に所望の深さ寸法だけ挿入し、例えば、第１円筒体５２を第２円筒体５３に対して反時計方向Ｌに所定角度だけ回動する。
【０００４】
これにより、第１円筒体５２の下端部５２ａと円盤５０Ａが互いに偏芯状態で第２円筒体５３の内周壁５３ａに圧接するとともに、脚部５０ａ、５０ｂが各外側面を第２円筒体５３の内周壁５３ａに弾接させる。
この結果、第２円筒体５３の内周壁５３ａに対する構造体５０の圧接作用と弾接作用とにより、第１円筒体５２が第２円筒体５３に対して所望の高さ方向Ｊに位置調節可能に保持される。
【先行技術文献】
【特許文献】
【０００５】
【特許文献１】特許第１４１３６１９号公報
【発明の概要】
【発明が解決しようとする課題】
【０００６】
しかしながら、円盤５０Ａに設けた脚部５０ａ、５０ｂは、合成樹脂の射出成形などで一体に形成されるため、成形品によっては、脚部５０ａ、５０ｂの開脚度合Ｏｐが成形条件などに起因して変動することがあり、第２円筒体５３に対する第１円筒体５２の保持力にばらつきが生じ、生産量に対して品質が安定しない虞がある。
【０００７】
本発明は上記事情に鑑みてなされたもので、その目的は、第２円筒体に対して簡単でかつ容易な操作で、第１円筒体を所望の位置に素早く保持することができるとともに、第２円筒体に対する第１円筒体への保持力にばらつきが生じず、恒常性が図られて品質が標準化して安定するという優れた効果を奏する実用的な摺動式固定機構を提供することにある。
【課題を解決するための手段】
【０００８】
（請求項１について）
第１円筒体の下端面には、円盤体が形成されている。円盤体と等径な円柱体は、円盤体に対して偏芯位置の回りに偏芯回転可能に取り付けられている。摺接面部は、円柱体の一外側部を径方向に窪ませることにより設けられた平坦部と該平坦部の中央で径方向に突出する柱体部とから成る。
中央を棟部として両側に分かれる第１辺板と第２辺板とによりくの字状を成す駒板体が設けられている。駒板体は、初期位置で第１辺板および第２辺板が柱体部を囲むようにして摺接面部に近接状態に配置される。
第１円筒体の下端を円盤体、円柱体および駒板体とともに、第２円筒体内に挿入し、第１円筒体を第２円筒体に対して周方向に回動する。これにより、円盤体の一側面部および円柱体の一側面部がそれぞれ第２円筒体の内周壁部に圧接し、駒板体に対して柱体部が初期位置から周方向に相対的に摺動し、棟部を第２円筒体の内周壁部に圧接する使用位置に変位させる。
【０００９】
請求項１における使用位置では、円盤体の一側面部および円柱体の一側面部がそれぞれ第２円筒体の内周壁部に圧接し、棟部が第２円筒体の内周壁部に圧接するので、圧接による固定機能が働いて第２円筒体に対して第１円筒体を所望の位置に保持することができる。
この固定機能を働かせるには、第１円筒体を第２円筒体に対して回動させるだけの簡単でかつ容易な操作でよいため、第１円筒体を第２円筒体に固定するために必要な操作性が大幅に向上する。
【００１０】
とりわけ、第２円筒体に対する第１円筒体の使用位置への回動操作に伴い、駒板体に対して柱体部が周方向に相対的に摺動し、棟部を第２円筒体の内周壁部に圧接するので、第１円筒体の少ない回動変位で強固な固定機能が働き、使用位置への確かな節度感が得られるとともに、第２円筒体に対して第１円筒体を素早く保持することができる。
使用位置への回動操作に伴い、棟部を第２円筒体の内周壁部に圧接するので、第２円筒体に対する第１円筒体の保持力が強固で変動の少ないものとなる。このため、第１円筒体への保持力にばらつきが生じず、恒常性が図られて品質が標準化して安定する。
【００１１】
（請求項２、３、４について）
駒板体の柱体部は、円弧状、楕円状あるいは多角形状の外周曲面を有している。
請求項２、３、４における柱体部の外周曲面が円弧状、楕円状あるいは多角形状であっても、使用位置では、駒板体に対して柱体部が周方向に相対的に摺動し、棟部を第２円筒体の内周壁部に圧接するため、請求項１と同様な効果が得られる。
【００１２】
（請求項５について）
円盤体および棟部の各外周側面には、周方向に沿って細かく起伏し、軸方向に伸びる鋸歯状のローレット加工が施されている。
請求項５における使用位置では、第２円筒体の内周壁部に対して円盤体および棟部が滑りにくくなり、第２円筒体の内周壁部に対する円盤体および棟部の圧接力を強化することができ、ひいては第１円筒体への保持力の向上に寄与する。
【００１３】
（請求項６について）
柱体部および駒板体のうちいずれか一方に磁石体を埋め込み、他方に薄肉の磁性材製の金属体を埋設している。
請求項６では、駒板体を摺接面部にあてがった際、金属体が磁石体の磁気力により吸引されるため、駒板体が柱体部に対して別々に離れることなく吸着保持される利点が得られる。
【００１４】
（請求項７について）
第１円筒体および第２円筒体は、互いに上下摺動可能に設けられた伸縮性のメジャーポールを構成する。
請求項７のメジャーポールでは、簡単な操作で、第１円筒体を所望の位置に素早く保持することができるため、土木工事や建設現場において測量作業が進捗し、現場の作業性を向上させることができる。
【図面の簡単な説明】
【００１５】
【図１】第１円筒体、円盤体、円柱体、駒板体および第２円筒体を示す分解斜視図である（実施例１）。
【図２】（ａ）は円柱体および駒板体を示す斜視図、（ｂ）は使用位置における円柱体に対する駒板体の配置を示す横断面図である（実施例１）。
【図３】（ａ）は第１円筒体を第２円柱体内に挿入した時の固定構造を示す縦断面図、（ｂ）は（ａ）のＫ−Ｋ線に沿う横断面図である（実施例１）。
【図４】（ａ）、（ｂ）は円柱体に対する駒板体の初期位置から使用位置への作動を示す説明図である（実施例１）。
【図５】（ａ）は円柱体および駒板体を示す斜視図（実施例２）、（ｂ）は円柱体の柱体部および駒板体を示す斜視図である（実施例３）。
【図６】（ａ）、（ｂ）は円柱体の柱体部および駒板体を示す斜視図である（実施例３、４）。
【図７】（ａ）は第１円筒体、構造体および第２円筒体を示す分解斜視図、（ｂ）は第１円筒体を第２円柱体内に挿入した時の構造体を示す縦断面図である（従来例）。
【発明を実施するための形態】
【００１６】
本発明の摺動式固定機構では、第１円筒体を第２円筒体に対して回動させるだけの簡単でかつ容易な操作で、駒板体に対する柱体部の摺動により使用位置への固定機能が働いて第１円筒体を所望の位置に素早く保持する構成を技術的特徴とする。
【実施例】
【００１７】
〔実施例１の構成〕
本発明に係る実施例１について図１ないし図４を参照しながら説明する。
図１に示す第１円筒体１および第２円筒体２は、例えばアルミニウムなどの金属材料から形成され、互いに上下摺動可能に設けられて測量用に供される伸縮性のメジャーポール３を構成する。
第１円筒体１の下端面には、外周側面に平目のローレット加工Ｒが施された円盤体４が形成されている。円盤体４は、ポリアセタール（ＰＯＭ）などの合成樹脂により形成されたもので、第１円筒体１と等径寸法となるように設定されている。
第１円筒体１に施したローレット加工Ｒは、円盤体４の周方向Ｑに沿って細かく起伏し、軸方向Ｔに伸びる鋸歯状を呈しているが、平目に限らず綾目のローレット加工を適用してもよい。
【００１８】
円柱体５は円盤体４と等径で、円盤体４と同一種類の合成樹脂により形成されている。円柱体５は、外周側面に平目のローレット加工Ｒを有し、円盤体４に対して偏芯位置Ｈの回りに偏芯回転可能に取り付けられている。
すなわち、円盤体４の中心からずれた偏芯位置Ｈには、雌ねじ４ｂを形成した偏芯軸４Ａが立設されている。これら円柱体５、円盤体４および偏芯軸４Ａは、後述する螺子棒６および駒板体９と一緒に摺動式固定機構５Ａを構成する。
円柱体５には、偏芯軸４Ａの雌ねじ部４ｂの対応する縦型の挿通孔５ａが軸方向に沿って貫通状態に形成されている。ワッシャ７に挿通した螺子棒６を挿通孔５ａ内で偏芯軸４Ａの雌ねじ部４ｂにねじ込むことにより、円柱体５が偏芯軸４Ａを介して円盤体４に偏芯回転可能に設けられる。
【００１９】
図２（ａ）に示すように、円柱体５に設けられた摺接面部８は、円柱体５の一外側部５ｂを径方向Ｐに窪ませることにより設けられた両側の平坦部８ａ、８ｂと該平坦部８ａ、８ｂの中央で径方向Ｐに突出して円弧状の曲面を有する柱体部８ｃとから成る。平坦部８ａ、８ｂは、柱体部８ｃを中心にして左右対称となるように延び広がっている。
【００２０】
駒板体９は、摺接面部８に対応して設けられたもので、円盤体４と同様にポリアセタール（ＰＯＭ）などの合成樹脂により形成されている。
駒板体９は、第１辺板９ａと第２辺板９ｂとによりくの字状を成すように折曲された構造体である。第１辺板９ａと第２辺板９ｂとは、中央を棟部９ｃとして所定値の夾角α（例えば３０°〜１２０°の角度範囲）で両側に分かれるように一体的に形成されている。棟部９ｃは薄肉化されて厚みｔが小さくなっており、外周側面はローレット加工Ｒが施されている。
【００２１】
この際、駒板体９の横幅寸法Ｅ１は、摺接面部８の横幅寸法Ｆ１よりも僅かに小さく設定され、縦幅寸法Ｅ２は、摺接面部８の縦幅寸法Ｆ２よりも若干小さくなるように設定されている。
図２（ｂ）に示すように、駒板体９を円柱体５の摺接面部８にあてがうことにより、駒板体９が後述する初期位置Ｍで第１辺板９ａおよび第２辺板９ｂが柱体部８ｃを囲むようにして摺接面部８に近接状態に配置される。
【００２２】
上記構成においては、円柱体５の外径は第２円筒体２の内径よりも若干小さく設定されているので、第１円筒体１の下端を円盤体４、円柱体５および駒板体９とともに、第２円筒体２内に挿入する。
この状態では、駒板体９の第１辺板９ａ、第２辺板９ｂおよび棟部９ｃは、図２（ｂ）に示すように、第２円筒体２の内径領域Ｄ内に位置し、第１辺板９ａは一側端部９ｅを平坦部８ａに当接し、第２辺板９ｂは他側端部９ｆを平坦部８ｂに当接している。
この際、図３（ａ）および図４（ａ）に示すように、第１円筒体１を第２円筒体２に対して周方向Ｓに回動することにより、円盤体４の一側面部４ｓおよび円柱体５の一側面部５ｓがそれぞれ第２円筒体２の内周壁部２ａに圧接する。
【００２３】
これと同時に、駒板体９に対して柱体部８ｃが初期位置Ｍから周方向Ｓに所定の円周角だけ相対的に摺動し、棟部９ｃを内径領域Ｄの最外部へ押し出し、第２円筒体２の内周壁部２ａに圧接する使用位置Ｎに変位させる（図３（ｂ）および図４（ｂ）参照）。
なお、第１円筒体１の下端部に巻装した薄肉のプラスチック製保護筒体１０は、第１円筒体１を第２円筒体２内に挿入した時、第２円筒体２の内周壁部２ａに弾接し、内周壁部２ａに対する緩衝作用を成す。
【００２４】
〔実施例１の効果〕
実施例１における使用位置Ｎでは、図３（ａ）、（ｂ）に示すように、円盤体４の一側面部４ｓおよび円柱体５の一側面部５ｓがそれぞれ第２円筒体２の内周壁部２ａに圧接し、棟部９ｃが第２円筒体２の内周壁部２ａに圧接するので、圧接による固定機能が働いて第２円筒体２に対して第１円筒体１を所望の位置に保持することができる。
この固定機能を働かせるには、第１円筒体を第２円筒体に対して回動させるだけの簡単で容易な操作でよいため、第１円筒体を第２円筒体に固定するために必要な操作性が大幅に向上する。
【００２５】
とりわけ、第２円筒体２に対する第１円筒体１の使用位置Ｎへの回動操作に伴い、駒板体９に対して柱体部８ｃが周方向Ｓに相対的に摺動し、棟部９ｃを第２円筒体２の内周壁部２ａに圧接するので、第１円筒体１の少ない回動変位で強固な固定機能が働き、使用位置Ｎへの確かな節度感が得られるとともに、第２円筒体２に対して第１円筒体１を素早く保持することができる。
すなわち、図４（ｂ）に示すように、柱体部８ｃが僅かに周方向Ｓに摺動することにより、棟部９ｃが大きく径方向Ｐに押し出されるので、いわば柱体部８ｃの摺動変位が棟部９ｃの径方向Ｐの変位に増幅された恰好となるため、第１円筒体１の位置保持を素早く行うことができるものである。
【００２６】
使用位置Ｎへの回動操作に伴い、棟部９ｃを第２円筒体２の内周壁部２ａに圧接するので、第２円筒体２に対する第１円筒体１の保持力が強固で変動の少ないものとなる。このため、第１円筒体１への保持力にばらつきが生じず、恒常性が図られて品質が標準化して安定する。
【００２７】
円盤体４、円柱体５および棟部９ｃの各外周側面には、図１に示すように、周方向Ｑに沿って起伏し、軸方向Ｔに伸びる鋸歯状のローレット加工Ｒが施されている。
このため、使用位置Ｎでは、第２円筒体２の内周壁部２ａに対して円盤体４および棟部９ｃが滑りにくくなり、第２円筒体２の内周壁部２ａに対する円盤体４、円柱体５および棟部９ｃの圧接力を強化することができ、ひいては第１円筒体１への保持力の向上に寄与する。
【００２８】
第１円筒体１および第２円筒体２は、互いに上下摺動可能に設けられた伸縮性のメジャーポール３を構成する。
メジャーポール３では、簡単な操作で、第１円筒体１を所望の位置に素早く保持することができるため、土木工事や建設現場において測量作業が進捗し、現場の作業性を向上させることができる。
【００２９】
〔実施例２の構成〕
図５（ａ）は本発明の実施例２を示す。実施例２が実施例１と異なるところは、駒板体９が摺接面部８から離れず、摺接面部８に保持されるようにしたことである。
このため、柱体部８ｃには、磁石ピン１１を磁石体として埋め込み、駒板体９には薄肉の磁性材製の金属板１２を金属体として埋設している。
これにより、駒板体９を摺接面部８にあてがった際、金属板１２が磁石ピン１１の磁気力により吸引されるため、駒板体９が柱体部８ｃに対して別々に離れることなく吸着保持される利点が得られる。
なお、実施例２では、柱体部８ｃに磁石ピン１１を埋め込み、駒板体９に金属板１２を埋設したが、これとは逆に柱体部８ｃに磁性体製の金属板１２を埋め込み、駒板体９に磁石ピン１１を埋設してもよい。また、柱体部８ｃおよび駒板体９の双方に磁石体を埋設し、磁石体の磁気力により駒板体９を柱体部８ｃに吸着保持させるようにしてもよい。
【００３０】
〔実施例３の構成〕
図５（ｂ）および図６（ａ）は本発明の実施例３を示す。実施例３が実施例１と異なるところは、駒板体９の柱体部８ｃが円弧状に代わって、楕円状の外周曲面を有するようにしたことである。
駒板体９は、図５（ｂ）に示すように、外部へ突き出る方向が長軸方向Ｗに沿っていてもよいし、図６（ａ）に示すように、外部へ突き出る方向が短軸方向Ｖに沿っていてもよい。
柱体部８ｃの外周曲面が楕円状であっても、使用位置Ｎでは、駒板体９に対して柱体部８ｃが周方向Ｓに相対的に摺動し、棟部９ｃを第２円筒体２の内周壁部２ａに圧接するため、実施例１と同様な効果が得られる。
【００３１】
〔実施例４の構成〕
図６（ｂ）は本発明の実施例４を示す。実施例４が実施例１と異なるところは、駒板体９の柱体部８ｃが円弧状に代わって、多角形状の外周曲面を有するようにしたことである。
柱体部８ｃの外周曲面が多角形状であっても、使用位置Ｎでは、駒板体９に対して柱体部８ｃが周方向Ｓに相対的に摺動し、棟部９ｃを第２円筒体２の内周壁部２ａに圧接するため、実施例１と同様な効果が得られる。
【００３２】
〔変形例〕
（ａ）上記の実施例１〜４では、メジャーポール３に適用して説明したが、メジャーポール３に限らず、釣り竿、旗竿、物干し竿、高枝剪定用の伸縮棹など、複数の円筒体を軸方向に摺動させて高さを調節する伸縮性の長尺体に適用してもよい。
（ｂ）摺接面部８の柱体部８ｃは、外周曲面が周方向に沿って小山状に起伏していてもよく、鋸歯状になっていてもよい。
（ｃ）第１円筒体１および第２円筒体２は、アルミニウムなどの金属材料により形成したが、金属材料に限らず、プラスチック材料や強化プラスチック材料により形成してもよい。
【００３３】
（ｄ）プラスチック製保護筒体１０は薄肉の弾性体であるが、合成ゴムとしてスチレン・ブタジエンゴム（ＳＢＲ）、ブタジエンゴム（ＢＲ）、クロロプレンゴム（ＣＲ）、イソプレンゴム（ＩＲ）、イソブチレン・イソプレンゴム（ＩＩＲ）、エチレンプロピレンゴム（ＥＰＭ、ＥＰＤＭ）あるいはシリコーンゴムなどの材料により形成してもよい。
【００３４】
（ｅ）円盤体４、円柱体５および駒板体９には、ポリアセタール（ＰＯＭ）に限らず、ポリプロピレンをはじめ、ポリ塩化ビニール（ＰＣＶ）、アクリロニトリル・ブタジエン・スチレン共重合体（ＡＢＳ樹脂）、ポリアミド（ＰＡ）、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）あるいはシンジオタクチックポリスチレン（ＳＰＳ）などのプラスチック材料を適用してもよい。
【産業上の利用可能性】
【００３５】
本発明の摺動式固定機構では、第２円筒体に対する第１円筒体の使用位置への回動操作に伴い、駒板体に対して柱体部が周方向に相対的に摺動し、棟部を第２円筒体の内周壁部に圧接するので、第１円筒体の少ない回動変位で、節度感を伴った素早く確かな固定機能が働き、第２円筒体に対して第１円筒体を素早く保持することができる。第１円筒体の素早い保持に着目して需要が増大し、関連部品などの流通を介して化学・機械業界に適用することができる。
【符号の説明】
【００３６】
１      第１円筒体
２      第２円筒体
２ａ    第２円筒体の内周壁部
３      メジャーポール
４      円盤体
４ｓ    円盤体の一側面部
５      円柱体
５Ａ    摺動式固定機構
５ｂ    円柱体の一外側部
８      摺接面部
８ａ、８ｂ  平坦部
８ｃ    柱体部
９      駒板体
９ａ    第１辺板
９ｂ    第２辺板
９ｃ    棟部
１１    磁石ピン（磁石体）
１２    磁性材製の金属板（磁性材製の金属体）
Ｄ      柱体部の内径領域
Ｈ      偏芯位置
Ｍ      初期位置
Ｎ      使用位置
Ｓ      周方向
Ｐ      径方向
Ｒ      ローレット加工
Ｗ      長軸方向
Ｖ      短軸方向
【図１】
2014085327.tif 000003
【図２】
2014085327.tif 000004
【図３】
2014085327.tif 000005
【図４】
2014085327.tif 000006
【図５】
2014085327.tif 000007
【図６】
2014085327.tif 000008
【図７】
2014085327.tif 000009